(57)【特許請求の範囲】
【請求項１】
開閉接点およびその開閉機構部を収納したケース本体の開口部にパッキンを介して蓋で覆い所定力で密閉することで内圧上昇時の放圧部を形成する開閉器において、
開口部内側の少なくとも４箇所に配置された支持部と、
外周から切り込まれた平行な２本の切り込みの間の部分を外周側へ向かって起きるように折曲して、端部の少なくとも４箇所でいずれも同一面側に形成される切り起こし部と、ほぼ全面に形成された複数の孔である通気部と、を有する飛散物防止板と、
を備え、
切り起こし部を切り起こした側とは反対側の面を支持部に当接させるように飛散物防止板を開口部の内側に配置して開口部のほぼ全面を切り起こし部および通気部以外の面で遮蔽するように飛散物防止板で覆い、切り起こし部を蓋の内面に当接させて弾性変形による復元力で保持された状態として蓋で覆うことを特徴とする開閉器。
【請求項２】
請求項１記載の開閉器において、開閉器本体内に設置され、開口部側上端が固定ボルトにより固定される内部素子を備え、
前記支持部の全部がその固定ボルトの頭部であることを特徴とする開閉器。
【請求項３】
請求項２記載の開閉器において、内部素子が絶縁樹脂にて一体被覆成形された耐雷素子であることを特徴とする開閉器。
【発明の詳細な説明】
【０００１】
【発明の属する技術分野】
本発明は、配電線路の開閉や切替を行う開閉器に関し、詳しくは架空配電線路に配設される柱上開閉器の内部短絡事故時において、破壊片がケース外部へ飛散することを防止するための飛散物防止板を備えた開閉器の飛散物防止板の取付け構造に関する。
【０００２】
【従来の技術】
従来より、ケースに密閉収納された開閉器は、内部短絡等事故が発生した場合に、内圧が異常に上昇してケース本体が爆発破損することを防止するため、ケース本体開口部とその開口部を覆う蓋との間に放圧部を設けておき、内圧上昇時に放圧部を作動させて内圧を逃がすようにしている。
この内圧の開放時に、万が一にも、ケース内部の破壊片が外部に飛散して周囲の人間に危害を与えぬよう、金網や多数の通気孔を有した飛散物防止板をケース開口部一面に設けている。
【０００３】
そして、これら飛散物防止板をケースに取着する技術として、実開昭61−149246号のケース入り開閉器が提案されている。これは、図６の如く、ケース開口部周縁に内方へ向かう段部５を連続形成しその段部５の内面と、その段部５内面にその長手方向と直角に配設された複数の相間絶縁板１７の上端面との間に、多数個の通気孔２１を備えた飛散物防止板１９を嵌め込み取着するものである。
【０００４】
又、他の飛散物防止板の取り付け方法として、図７に示すように、飛散物防止板２２の上面の四隅に、半球状の突起付クッション材２３を配設しておき、さらに図８、図９に示すように、ケース内部の取付座２４に固定された内部素子２５の固定ボルト２６の頭部に飛散物防止板２２を載置する。次いで、図９に示すように蓋２７を覆うことで、蓋２７の内面がクッション材２３に当接し挟圧することで飛散物防止板２２を保持・固定するようにしたものである。
【０００５】
【発明が解決しようとする課題】
しかしながら、前者の飛散物防止板１９の取付け構造は、ケース本体１の内部に配設される対地絶縁板（図示せず）と相間絶縁板１７が、それぞれ設けた係合溝に嵌め合わせて一体的に固着されなければ、飛散物防止板１９も十分に固定保持されない。また、相間絶縁板１７や対地絶縁板は、開閉器ケース本体１内に装着される機器や素子の取付け位置や取付け姿勢等から制約を受けて、対地絶縁板と相間絶縁板１７と飛散物防止板１９とを一体的に形成し難くなっている。さらに、これら機器や素子を避けて対地絶縁板や相間絶縁板１７を配設せざるを得ない場合は、相間や対地間寸法を拡げなければならずケース本体１が大型化されてしまうことになる。
【０００６】
又、後者の飛散物防止板２２の取付け構造は、部品点数が多くなり、更にはクッション材２３の付け忘れ等の単純なトラブルを引き起こす懸念もあった。
一方、近年の傾向として、配電線路の有効な雷害保護、地絡短絡保護、自動化を図ることを目的として、耐雷素子、電圧検出コンデンサ、配電線搬送信号用結合コンデンサ、制御器駆動用電源変圧器等の種々の機器や素子が開閉器ケース内に高密度に装着されることが多い。図１０と図１１はその一例を示し、図中のＡが耐雷素子である。
【０００７】
そこで、本発明は、このような状況に鑑み、配電線路の雷害保護、地絡短絡保護、自動化等の関連機器や素子が開閉器ケース内に装着されても、飛散物防止板が、他の絶縁板と独立して取着することを可能にし、また、クッション材等の部品点数および取付け作業工数を低減し、さらにはケース本体の大型化を抑えることを可能にした開閉器を提供することを課題とした。
【０００８】
【課題を解決するための手段】
本発明は、開閉接点およびその開閉機構部を収納したケース本体の開口部にパッキンを介して蓋で覆い所定力で密閉することで内圧上昇時の放圧部を形成する開閉器において、
開口部内側の少なくとも４箇所に配置された支持部と、
外周から切り込まれた平行な２本の切り込みの間の部分を外周側へ向かって起きるように折曲して、端部の少なくとも４箇所でいずれも同一面側に形成される切り起こし部と、ほぼ全面に形成された複数の孔である通気部と、を有する飛散物防止板と、
を備え、
切り起こし部を切り起こした側とは反対側の面を支持部に当接させるように飛散物防止板を開口部の内側に配置して開口部のほぼ全面を切り起こし部および通気部以外の面で遮蔽するように飛散物防止板で覆い、切り起こし部を蓋の内面に当接させて弾性変形による復元力で保持された状態として蓋で覆うことを特徴とする。
【０００９】
ここで、開閉器本体内に設置され、開口部側上端が固定ボルトにより固定される内部素子を備え、前記支持部の全部をその固定ボルトの頭部とすることができる。また、この内部素子として絶縁樹脂にて一体被覆成形された耐雷素子を用いることができる。
【００１０】
【発明の実施の形態】
図にもとづき、本発明の実施形態を説明する。
図１は、飛散物防止板の斜視図であり、図２は、図１の要部を拡大した図である。飛散物防止板１は、鉄、ステンレス、アルミニウム等の金属板をパンチング加工して全体に多数の通気孔２を形成して通気部とし、またズレ止めとして両端を直角に折り曲げ加工し、さらに、長手方向の端部に近い位置の４箇所に、それぞれ１対の平行な切り込みを入れ、その切り込みに挟まれた部分を斜め上方へ折り曲げて、切り起こし部３を形成している。なお、飛散物防止板１は他に、例えばポリエステルガラスマット等の耐熱性およびクッション性を有する絶縁板で形成してもよい。
【００１１】
図３は、図１の飛散物防止板１を開閉器本体内に取り付けた状態を正面から見た断面図であり、図４は、同じく側面から見た断面図である。両図に示されるように、ケース開口部長手方向の近傍内周部に突設される断面Ｌ字状をした取付座４がケース本体５の内面に溶接され、その取付座４に六角ボルト６を上方から挿通して耐雷素子または電圧検出コンデンサ素子等の内部素子７が垂直方向に固着されている。
【００１２】
一方、対向するケース開口部長手方向にも同様に取付座４がケース本体５と溶接され、取付座４に六角ボルト６を上方から挿通して耐雷素子または電圧検出コンデンサ素子等の内部素子７が垂直方向に固着され、各六角ボルト６の頭平部が同一平面上に位置している。
そして、飛散物防止板１は、取付座４の内部素子７を固着する各六角ボルト６の頭平部に載置され、ケース開口部をほぼ全面塞いで、切り起こし部３の先端が蓋８の内側の周辺部に当接する。すなわち、飛散物防止板１は、各六角ボルト６の頭平部と蓋８内側の周辺部とで挟持される。
【００１３】
次いで、蓋８をケース本体５にボルト締めして所定の力で取り付けることにより、飛散物防止板１の切り起こし部３が押圧されて弾性変形をし、その復元力で、飛散物防止板１は、ケース本体５に保持されて安定する。
図５は、ケース本体５の開口部を蓋８で覆った状態を示し、さらに図示しないボルト等の締め付け手段を用いて、内圧が一定圧に上昇した時点で開放されるように固定する。
【００１４】
ここで、内部素子として取り付けられる耐雷素子、電圧検出コンデンサ、配電線搬送信号用結合コンデンサ、制御器駆動用電源変圧器は、端子や取付け用インサートと共にエポキシ樹脂で一体成形され、極めてコンパクトでありかつ所定の絶縁性能を確保し、組立も容易なものとしている。
それにより、対地絶縁板や相間絶縁板は、これら機器や素子の取付け位置や取付け姿勢等の制約が少なく、相間や対地間寸法を拡げる必要がなくなり、ケース本体５の大型化を抑制できる。
又、ケース開口部長手方向の近傍内周部に突設される取付座４が、ケース本体５に極端な段差で溶接されない限り、厳密な寸法公差も特に必要無い。
【００１５】
この開閉器が設置された後、内部短絡等の事故が発生して内圧が異常に上昇した場合は、飛散物防止板１に形成されている多数の通気孔２を通過して蓋８を押圧し、放圧機構（図示せず）が作動して、ケース本体５と蓋８に空隙が発生し、その空隙から内部に発生した高圧ガスが放出され、同時にケース内部の破壊片が外部へ飛散しようとするが空隙の手前にある飛散物防止板１に阻止される。
こうして、耐雷素子、電圧検出コンデンサ、信号伝送用結合コンデンサ等の種々の機器や素子が開閉器ケース内に高密度に装着されて大型化する傾向の開閉器であっても、固定専用具も必要無く極めて容易に飛散物防止板１を取着できると共に、開閉器の輸送や装柱作業時でもケース本体５の内部に十分固定保持できる。
【００１６】
これらのことから本発明によると、機器や素子が開閉器ケース内に装着されても、それら機器や素子の固着するボルト頭平部と蓋で飛散物防止板を挟持し、他の絶縁板と独立して取着することが可能となる。
また、クッション材等の部品点数の削減と組み立ての作業性を向上するとともに、相間や対地間寸法を拡げたり、新たな飛散物防止板用の取付け装置等を増設する必要がなくなり、ケース本体の大型化も抑えられる。
【００１７】
【発明の効果】
以上述べたように本発明によれば、飛散物防止板の内側が開閉器本体側の支持部に当接して支持されるとともに、切り起こし部分が外側の蓋を組み込むときにその内面に当接されて支持されることで、飛散物防止板以外に特に取り付けのための部品を必要とせずに、部品点数の削減と組み立て工数の削減が可能となる。
【図面の簡単な説明】
【図１】本発明の実施形態における飛散物防止板の斜視図である。
【図２】図１の要部を拡大した図である。
【図３】図１の飛散物防止板の取り付けた状態を正面から見た断面図である。
【図４】図１の飛散物防止板の取り付けた状態を側面から見た断面図である。
【図５】図３、図４の状態における開閉器の斜視図である。
【図６】従来例を示す斜視図である。
【図７】従来例を示す斜視図である。
【図８】従来例を示す斜視図である。
【図９】従来例を示す断面図である。
【図１０】従来例を示す断面図である。
【図１１】従来例を示す断面図である。
【符号の説明】
１  飛散物防止板
２  通気孔
３  切り起こし部
４  取付座
５  ケース本体
６  六角ボルト
７  内部素子
８  蓋
【図１】
0003672073.tif 000002
【図２】
0003672073.tif 000003
【図３】
0003672073.tif 000004
【図４】
0003672073.tif 000005
【図５】
0003672073.tif 000006
【図６】
0003672073.tif 000007
【図７】
0003672073.tif 000008
【図８】
0003672073.tif 000009
【図９】
0003672073.tif 000010
【図１０】
0003672073.tif 000011
【図１１】
0003672073.tif 000012